(57)【要約】本発明は、長さの長い被出力物を簡単にデジタル印刷機に装着させ、作業者の作業能率を向上させることができるデジタル印刷用被出力物の供給回収装置に関するものであって、被出力物が巻かれている供給ロール；前記供給ロールから供給される被出力物をヘッド部の下部に移送する第１移送ロール；前記ヘッド部によって出力が完了された被出力物を排出する第２移送ロール；前記供給ロールの回転軸と平行な回転軸を有し、前記第２移送ロールから排出される被出力物を巻き取るように回収駆動手段によって回転する回収ロールを含み、前記被出力物はその一端が前記供給ロールから解けながら供給され、前記第１移送ロール及び前記第２移送ロールの上側を経て、前記回収ロールに固定されることを特徴とする。【選択図】図３
2015536262.tif 000002
【特許請求の範囲】
【請求項１】
デジタル印刷用被出力物の供給回収装置であって、該装置は、
被出力物が巻かれている供給ロール；
前記供給ロールから供給される被出力物をヘッド部の下部に移送する第１移送ロール；
前記ヘッド部によって出力が完了された被出力物を排出する第２移送ロール；
前記供給ロールの回転軸と平行な回転軸を有し、前記第２移送ロールから排出される被出力物を巻き取るように回収駆動手段によって回転する回収ロールを含み、前記被出力物はその一端が前記供給ロールから解けながら供給されて、前記第１移送ロール及び前記第２移送ロールの上側を経て前記回収ロールに固定され、
前記供給ロールと前記第１移送ロールの間に第１ガイド部が配置され、
前記回収ロールと前記第２移送ロールの間に第２ガイド部が配置され、
前記被出力物が前記供給ロールから前記第１移送ロール及び第２移送ロールを経て前記回収ロールに固定された後、前記供給ロールと前記第１移送ロールの間で離間された被出力物に接近して押して、前記被出力物の前記第１移送ロールに対する接触面積を増大させるように、前記第１ガイド部に第１ガイド部に沿って移動する第１補助ロールが設けられ、
前記被出力物が前記供給ロールから前記第１移送ロール及び第２移送ロールを経て前記回収ロールに固定された後、前記回収ロールと前記第２移送ロールの間で離間された被出力物に接近して押して、前記被出力物の前記第２移送ロールに対する接触面積を増大させるように、前記第２ガイド部に第２ガイド部に沿って移動する第２補助ロールが設けられることを特徴とする、デジタル印刷用被出力物の供給回収装置。
【請求項２】
前記供給ロールには前記供給ロールから前記第１移送ロール及び第２移送ロールを経て前記回収ロールの間で前記被出力物に一定の張力がかかるように張力維持手段が繋げられることを特徴とする、請求項１に記載のデジタル印刷用被出力物の供給回収装置。
【請求項３】
前記張力維持手段は、制動装置、減速装置、及び逆転装置のうち、いずれか一つであることを特徴とする、請求項２に記載のデジタル印刷用被出力物の供給回収装置。
【請求項４】
前記第１ガイド部は、前記第１補助ロールが前記第１移送ロールの外周面に離間して巻きつけるように形成されることを特徴とする、請求項１に記載のデジタル印刷用被出力物の供給回収装置。
【請求項５】
前記第２ガイド部は、前記第２補助ロールが前記第２移送ロールの外周面に離間して巻きつけるように形成されることを特徴とする、請求項１に記載のデジタル印刷用被出力物の供給回収装置。
【請求項６】
前記第１補助ロールと前記第２補助ロールの中で、いずれか一方が移動を完了した後、他方が移動を開始することを特徴とする、請求項１に記載のデジタル印刷用被出力物の供給回収装置。
【発明の詳細な説明】
【技術分野】
【０００１】
本発明は、デジタル印刷用被出力物の供給回収装置に関するものであって、さらに詳細には、長さの長い被出力物を簡単にデジタル印刷機に装着させ、作業者の作業能率を向上させることができる、デジタル印刷用被出力物の供給回収装置に関するものである。
【背景技術】
【０００２】
デジタル印刷機で長さの長い被出力用紙を使う場合には、被出力用紙が巻かれたロールを使用する。そして、被出力用紙は一定の張力が与えられながら、デジタル印刷機のヘッドの下部で一定の速度で移送しなければならない。
【０００３】
このために、従来技術では、図１のようにデジタル印刷機１００のヘッド部１０２を中心にして、前方と後方にそれぞれ第１移送ロール１１０と第２移送ロール１１２を設け、前記第１移送ロール１１０の前端には第１補助ロール１０８を設け、第２移送ロール１１２の後端には第２補助ロール１１４を設ける。前記第１補助ロール１０８及び前記第２補助ロール１１４は、それぞれ第１移送ロール１１０及び第２移送ロール１１２の下側に位置する。この結果、前記第１移送ロール１１０及び第２移送ロール１１２に被出力物１０が接触する面積が大きくなって、摩擦力の増大による被出力物１０の安定的な移送が可能である。
【０００４】
そして、前記第１移送ロール１１０に被出力物１０を供給するために、供給ロール１０４が前記第１移送ロール１１０の前端に位置し、出力された被出力物１０を巻いて回収するために回収ロール１１８が前記第２移送ロール１１２の後端に位置する。
【０００５】
上述のように構成されるデジタル印刷機１００で被出力用紙１０を設置する過程は図２に図示されたとおりである。即ち、前記供給ロール１０４から供給される被出力物１０を第１補助ロール１０８、第１移送ロール１１０、第２移送ロール１１２、第２補助ロール１１４を経て、前記回収ロール１１８に前記被出力物１０の端部を固定するようになる。
【０００６】
しかし、このような従来技術では、いくらデジタル印刷機１００が大型であっても、作業者が手で前記第１補助ロール１０８を経て前記第１移送ロール１１０に被出力物１０を通過させることと、前記第２移送ロール１１２と第２補助ロール１１４を経て前記第２補助ロール１１４まで通過させることは、相当煩わしいことである。さらに、被出力物１０は、紙またはフィルムなどの薄い材質であるので、幅方向に力を均一に加えない場合、破れたり変形される恐れがある。また、被出力物１０は正確に第１移送ロール１１０及び第２移送ロール１１２に設けられないと、真直度に異常が生じて被出力物の印刷が不良になり、これによって発生されるしわがデジタル印刷機１００のヘッド部１０２の底面と衝突してヘッド(図示せず)を損傷させる問題が発生することがある。
【発明の概要】
【発明が解決しようとする課題】
【０００７】
上述の問題点を解決するために案出された本発明の目的は、長さの長い被出力物を簡単にデジタル印刷機に装着させて作業者の作業能率を向上させることができる、デジタル印刷用被出力物の供給回収装置を提供することにある。
【０００８】
本発明のもう一つの目的は、供給ロールから供給される被出力物の端部を最初に回収ロールに固定する時、正確な位置に被出力物が装着されるようにして、連続の出力作業にも被出力物が幅方向の誤差なしに本来の位置に出力できるデジタル印刷用被出力物の供給回収装置を提供することにある。
【課題を解決するための手段】
【０００９】
前記の目的を果たすための本発明は、被出力物が巻かれている供給ロール；前記供給ロールから供給される被出力物をヘッド部の下部に移送する第１移送ロール；前記ヘッド部によって出力が完了された被出力物を排出する第２移送ロール；前記供給ロールの回転軸と平行な回転軸を有し、前記第２移送ロールから排出される被出力物を巻き取るために回収駆動手段によって回転する回収ロールを含み、前記被出力物はその一端が前記供給ロールから解けながら供給され、前記第１移送ロール及び前記第２移送ロールの上側を経て前記回収ロールに固定されることを特徴とする、デジタル印刷用被出力物の供給回収装置である。
【００１０】
前記供給ロールには、前記供給ロールから前記第１移送ロール及び第２移送ロールを経て前記回収ロールの間で前記被出力物に一定の張力がかかるように張力維持手段が繋げられることを特徴とする。
【００１１】
また、前記張力維持手段は、制動装置、減速装置、及び逆転装置のうち、いずれか一つであることを特徴とする。
【００１２】
また、前記供給ロールと前記第１移送ロールの間に第１ガイド部が配置され、前記回収ロールと前記第２移送ロールの間に第２ガイド部が配置され、前記供給ロールと前記第１移送ロールの間の被出力物を押して前記被出力物の前記第１移送ロールに対する接触面積を増大させるように前記第１ガイド部に第１ガイド部に沿って移動する第１補助ロールが設けられ、前記回収ロールと前記第２移送ロールの間の被出力物を押して前記被出力物の前記第２移送ロールに対する接触面積を増大させるように前記第２ガイド部に第２ガイド部に沿って移動する第２補助ロールが設けられることを特徴とする。
【００１３】
また、前記第１ガイド部は、前記第１補助ロールが前記第１移送ロールの外周面に離間して巻きつけるように形成されることを特徴とする。
【００１４】
また、前記第２ガイド部は、前記第２補助ロールが前記第２移送ロールの外周面に離間して巻きつけるように形成されることを特徴とする。
【００１５】
また、前記第１補助ロールと前記第２補助ロールの中で、いずれか一方が移動を完了した後、他方が移動を開始することを特徴とする。
【発明の効果】
【００１６】
本発明により、作業者がデジタル印刷機に長さの長い被出力物を容易に装着することができるので、作業時間及び業務強度が減るようになる。
【００１７】
また、最初に被出力物を固定ロールから供給して回収ロールに固定する時、一定の張力を与えながら、しわなく引いて回収ロールに固定することができるので、供給ロールの回転軸と回収ロールの回転軸がお互い平行であれば、被出力物は常に回転軸に直角で誤差なしに装着されることができる。よって、連続の出力にも被出力物の幅方向の誤差が発生しないため、出力品質が向上される。
【図面の簡単な説明】
【００１８】
【図１】従来技術によるデジタル印刷用被出力物の供給回収装置が装着されたデジタル印刷機の概略的な構成図である。
【図２】図１のデジタル印刷機に被出力物を装着する過程を示した図面である。
【図３】本発明の実施例１によるデジタル印刷用被出力物の供給回収装置が装着されたデジタル印刷機の概略的な構成図である。
【図４】図３のデジタル印刷機に被出力物を装着する過程を示した図面である。
【図５】本発明の実施例２によるデジタル印刷用被出力物の供給回収装置が装着されたデジタル印刷機の概略的な構成図である。
【図６】図４のデジタル印刷機に被出力物を装着する過程を示した図面である。
【発明を実施するための形態】
【００１９】
以下、本発明を好ましい実施例を添付した図面を参照にして説明する。下記各図面の構成要素に参照符号を付け加えることにあたり、同一な構成要素に限っては、たとえ他の図面上に示されても、できる限り同一符号を持つようにし、本発明の要旨を不必要にする可能性があると判断される公知機能及び構成に対する詳細な説明は省略する。
【００２０】
本発明の実施例１によるデジタル印刷用被出力物の供給回収装置を装着したデジタル印刷機２００を図３及び図４を参照にして説明する。
【００２１】
デジタル印刷用被出力物の供給回収装置は作業者が手軽に供給ロール２０４から供給される被出力物１０を回収ロール２１８に固定しながらも、同時に完璧に被出力物１０が回収ロール２１８の回転軸に垂直になるよう固定され、連続の出力作業にも被出力物１０の幅方向の誤差なく、回収ロール２１８に正確に被出力物１０が巻かれるようにすることに特徴がある。このような特徴を有するデジタル印刷用被出力物の供給回収装置は、被出力物１０が巻かれている供給ロール２０４と、前記供給ロール２０４から供給される被出力物１０をヘッド部２０２の下部に移送する第１移送ロール２１０と、前記ヘッド部２０２によって出力が完了された被出力物１０を排出する第２移送ロール２１２と、前記第２移送ロール２１２から排出される被出力物１０を巻き取る回収ロール２１８を含んでなる。
【００２２】
前記回収ロール２１８は、回収駆動手段である回収モーターと繋がって回転され、前記被出力物１０に張力を提供する。但し、前記供給ロール２０４が自由に回転すれば、前記回収ロール２１８の回転にもかかわらず前記被出力物１０にかかる張力が減少したり消えることがあり、特に前記回収ロール２１８が回転後に停止すると、前記供給ロール２０４は回転慣性によって引き続き回転し、被出力物１０をさらに解いてしまう問題が発生する。
【００２３】
よって、本発明では前記回収ロール２１８の回転によって前記回収ロール２１８と前記供給ロール２０４の間に位置する被出力物１０には一定の張力が存在するように、前記供給ロール２０４に張力維持手段を連結させる。このような前記張力維持手段としては、ブレーキのような制動装置、減速ギヤのような減速装置、または前記回収ロール２１８の回転方向に対して反対方向に回転駆動させる逆転装置を使うことができる。
【００２４】
減速装置の場合は、前記回収ロール２１８の回転による前記供給ロール２０４の回転速度を下げて前記回収ロール２１８と前記供給ロール２０４の間に位置する被出力物１０に張力を存在させることができる。逆転装置を使う場合には、前記回転モーターにかかる回転力と前記逆転装置にかかる反対方向の回転力の差の分、前記被出力物１０に張力が発生するようになるので、かなり正確な張力制御が可能となり、減速装置に比べてもっと好ましい。
【００２５】
本発明の実施例１によるデジタル印刷用被出力物の供給回収装置は、基本的に上述のように構成される。以下、本発明の作動方法について説明する。
【００２６】
まず、前記供給ロール２０４を装着し、前記供給ロール２０４の被出力物１０を解いて前記第１移送ロール２１０と前記第２移送ロール２１２を経て被出力物１０を回収ロール２１８に装着する。この時、前記供給ロール２０４には張力維持手段があるので、作業者が力を入れて被出力物１０を引く場合、ぴんと被出力物１０が伸びた状態、すなわち張力が与えられる状態で引いて前記回収ロール２１８に前記被出力物１０の一端を固定することが可能である。
【００２７】
従来技術のように被出力物１０を設置するために色々な方向に折り曲げて引く場合には、一定の張力を継続的に供給することが困難であるが、本発明の実施例１の場合には、一回で被出力物１０を引いて前記第１移送ロール２１０と前記第２移送ロール２１２の上側を越えて前記回収ロール２１８に装着するので、作業が便利なだけでなく被出力物１０が広がった状態を確認しながら設置することが可能である。よって、しわなしに被出力物１０を引いて供給ロール２０４から回収ロール２１８に装着するので、幅方向の誤差が発生しない。
【００２８】
次に、本発明の実施例２によるデジタル印刷用被出力物の供給回収装置を装着したデジタル印刷機２０１を図５及び図６を参照して説明する。実施例１のデジタル印刷用被出力物の供給回収装置は、第１移送ロール２１０と第２移送ロール２１２に対する前記被出力物１０の接触面積が従来技術に比べて少ないという短所がある。よって、実施例２ではこれを解決することができる接触面積の増大手段を持つ。実施例２で実施例１と等しい構成要素に対してはその詳細な説明は省略する。
【００２９】
したがって、実施例２によるデジタル印刷用被出力物の供給回収装置は、被出力物１０が巻かれている供給ロール２０４と、前記供給ロール２０４から供給される被出力物１０をヘッド部２０２の下部に移送する第１移送ロール２１０と、前記ヘッド部２０２によって出力が完了された被出力物１０を排出する第２移送ロール２１２と、前記第２移送ロール２１２から排出される被出力物１０を巻き取る回収ロール２１８を含むことの他に、前記供給ロール２０４と前記第１移送ロール２１０の間に配置される第１ガイド部２２０と、前記回収ロール２１８と前記第２移送ロール２１２の間に配置される第２ガイド部２２２と、前記第１ガイド部２２０に沿って移動して前記供給ロール２０４と前記第１移送ロール２１０の間の被出力物１０を押して前記被出力物１０の前記第１移送ロール２１０に対する接触面積を増大させる第１補助ロール２０８と、前記回収ロール２１８と前記第２移送ロール２１２の間の被出力物１０を押して前記被出力物１０の前記第２移送ロール２１２に対する接触面積を増大させる第２補助ロール２１４をさらに含む。
【００３０】
前記第１ガイド部２２０と前記第２ガイド部２２２は、既に作業者によって設置された被出力物１０を押し付けて前記第１移送ロール２１０及び前記第２移送ロール２１２と被出力物１０の接触面積を増大させる役割を果たす。よって、前記第１補助ロール２０８が前記第１移送ロール２１０の外周面に離間して巻きつけるように形成され、前記第２ガイド部２２２は前記第２補助ロール２１４が前記第２移送ロール２１２の外周面に離間して巻きつけるように形成される。
【００３１】
即ち、前記第１ガイド部２２０と前記第２ガイド部２２２は曲線の軌跡または複数の直線軌跡を提供して、第１補助ロール２０８と第２補助ロール２１４が前記第１移送ロール２１０及び前記第２移送ロール２１２のそれぞれの下側に位置するようにする。前記第１ 及び第２ガイド部２２０、２２２は、前記第１及び第２補助ロールを回転できるように支持しながら、一定軌道に沿って移動するように多様な公知の技術からなることができる。例えば、レールに前記第１補助ロール２０８及び前記第２補助ロール２１４が設けられるスライダーを装着したり、又は前記第１補助ロール２０８及び前記第２補助ロール２１４の回転軸と一体のガイドローラーが一定の軌道を有するスリットに拘束されて動くことができる。
【００３２】
本発明の実施例によるデジタル印刷用被出力物の供給回収装置は、基本的に上述のように構成される。以下、本発明の作動方法について説明する。
【００３３】
まず、前記供給ロール２０４を装着し、前記供給ロール２０４の被出力物１０を解いて前記第１移送ロール２１０と前記第２移送ロール２１２を経て被出力物１０を回収ロール２１８に装着する。
【００３４】
そして、前記第１補助ロール２０８と前記第２補助ロール２１４を移動させて、前記第１補助ロール２０８と前記第２補助ロール２１４が被出力物１０を押し付けながら、前記第１移送ロール２１０と前記第２移送ロール２１２の下側に位置させる。この結果、被出力物１０が前記第１移送ロール２１０と前記第２移送ロール２１２の外周面の相当部分を巻いて接触するようになり、前記第１移送ロール２１０と前記第２移送ロール２１２と被出力物１０の間の摩擦を大きくすることができて安定的な被出力物１０の移送が可能となる。
【００３５】
特に、前記第１補助ロール２０８と前記第２補助ロール２１４を移動することによって前記第１移送ロール２１０と前記第２移送ロール２１２の間に位置する被出力物１０に過度な張力がかかることを防ぐために、前記第１補助ロール２０８と前記第２補助ロール２１４の中で、いずれか一方が移動して被出力物１０を完了した後、他方が移動を開始することが好ましい。
【００３６】
また、前記第１補助ロール２０８と前記第２補助ロール２１４が移動しながら、供給ロール２０４と第１補助ロール２０８の間、及び回収ロール２１８と第２補助ロール２１４の間に相当張力がかかることがあるので、前記供給ロール２０４と前記回収ロール２１８が張力を保ちつつ、被出力物１０が解けるように回転させることが好ましい。よって、回収ロール２１８に前記被出力物１０を最初に装着する時、前記第１補助ロール２０８と前記第２補助ロール２１４による解けを考慮して、十分な長さを予め巻いておくことが好ましい。
【００３７】
前記のように、本発明の好ましい実施例を参照にして説明したが、当該技術分野で熟練した当業者であれば、下記特許請求の範囲に記載された本発明の思想及び領域から逸脱しない範囲内で、本発明を多様に修正及び変更させることができることを理解されるであろう。
【符号の説明】
【００３８】
１００、２００、２０１: デジタル印刷機
１０２、２０２: ヘッド部
１０４、２０４: 供給ロール
１０８、２０８: 第１補助ロール
１１０、２１０: 第１移送ロール
１１２、２１２: 第２移送ロール
１１４、２１４: 第２補助ロール
１１８、２１８: 回収ロール
２２０: 第１ガイド部
２２２: 第２ガイド部
【図１】
2015536262.tif 000003
【図２】
2015536262.tif 000004
【図３】
2015536262.tif 000005
【図４】
2015536262.tif 000006
【図５】
2015536262.tif 000007
【図６】
2015536262.tif 000008
【国際調査報告】
2015536262.tif 000009
2015536262.tif 000010
2015536262.tif 000011
2015536262.tif 000012